(57)【要約】      （修正有）【課題】物品入れの開口部を自在に形成できるようにする。【解決手段】有底の袋２の上部に、折り返し部３を縫着した開口部を形成し、縫着した折り返し部３に手で曲折可能な柔軟な線材１であるアルミ自在ワイヤーを挿通し、開口部を適宜な形状に形成し、開口部の周縁外に引き出し捻着してって一体にし、更にその上方部をフツク状に形成して掛け部５を形成する。壁等に設けたフツクに掛ける場合は、フツク状の掛け部５は左右方向に形成する。洗濯機や冷蔵庫や食器棚のガラス等に吸着させた吸盤に取り付ける場合は前後方向に形成する。輸送するために梱包する場合は掛け部を開口部と水平に形成して畳んだ状態にする。【選択図】図１
2008125698.tif 000002
【特許請求の範囲】
【請求項１】
有底の袋の上部に、折り返し部を縫着した開口部を形成 し、前記折り返し部に曲折自在な線材を挿通し、前記開口部を形成自在な輪に形成し、前記線材の両端部を開口部の周縁外に引き出し、且捻着して掛け部を形成したことを特徴とする物品入れ。
【請求項２】
折り返し部に挿通する線材は、その両端部を連結具で連結し、連結具に９０度回転方向に掛け部を回動自在に設けたことを特徴とする請求項１記載の物品入れ。  
【請求項３】
袋の開口部に設けた輪が、柔軟な合成樹脂の板状で、輪の適宜の箇所に上下方向に掛け部取付孔を穿設した取付部を設け、且輪と取付部が一体に形成し、前記掛け部取付孔に柔軟な線材の掛け部を挿通して取り付けた物品入れ。  
【発明の詳細な説明】
【技術分野】
【０００１】
本発明は、開口部の形状を自在に形成できるようにした物品入れに関するものである。
【背景技術】
【０００２】
従来の物品入れには、各種の物が知られ販売されている。例えば鉄線の輪の垂直方向にフツク状の掛け部を溶接して形成し、袋を設けたものがある。また布に上部が開口した複数の布ポケツトを設けた所謂ウオールポケツトがある。布の上部に設けた掛け具又は鳩目を壁に設けたフツクに掛けて使用する。しかし、開口部を形成自在にできるようにしたものはいまだ知られていない。
【発明の開示】
【発明が解決しようとする課題】
【０００３】
以上に述べた従来の物品入れでは、袋の開口部は一定の形状で常時開口状態を保は、このような事情に鑑みてなされたもので、その目的とするところは、開口部を様々な形状に形成でき、とりわけ可愛さのデザインであるハート形に形成自在にし、且運送する場合の梱包が嵩張らないようにした物品入れを提供することにある。
【課題を解決するための手段】
【０００４】
そして、本発明は上記目的を達成するために請求項１のものは、有底の袋の上部に、折り返し部を縫着した開口部を形成し、前記折り返し部に曲折自在な線材を挿通し、前記開口部を形成自在な輪に形成し、前記線材の両端部を開口部の周縁外に引き出し、且捻着して掛け部を形成したものである。線材はアルミ自在ワイヤー、銅線、針金、真鍮線を使用可能であるが、直径２．５ｍｍ〜３．５ｍｍのアルミ自在ワイヤーは手で容易に形成することができるので好ましい。
【０００５】
また第２の解決手段である請求項２のものは、請求項１のものにおいて、折り返し部に挿通する線材は、その両端部を連結具で連結し、連結具に９０度回転方向に掛け部を回動自在に設けたものである。
【０００６】
また第３の解決手段である請求項３のものは、袋の開口部に設けた輪が、柔軟な合成樹脂の板状で、輪の適宜の箇所に上下方向に掛け部取付孔を穿設した取付部を設け、且輪と取付部が一体に形成したものである。
【０００７】
上記第１の解決手段による作用は、次の通りである。すなわち、縫着した折り返し部に手で曲折可能な柔軟な線材であるアルミ自在ワイヤーを挿通し、開口部を適宜な形状に形成し、開口部の周縁外に引き出されって一体にし、更にその上方部をフツク状に形成する。また物品入れを使用する状況によりフツク状に形成した掛け部の向きは自在に形成する。壁等に設けたフツクに掛ける場合は、フツク状の掛け部は左右方向に形成する。洗濯機や冷蔵庫や食器棚のガラス等に吸着させた吸盤に取り付ける場合は前後方向に形成する。輸送するために梱包する場合は掛け部を開口部と水平に形成して畳んだ状態にする。  
【０００８】
また、第２の解決手段による作用は、掛け部を連結具の上下方向に回動自在に設けているので掛け部の向きは自在にすることができる。またアルミ自在ワイヤーの掛け部の 下部は折り曲げて輪と連結する。また折り曲げた部分を直線に形成し且外して輪と水平に梱包することにより嵩張りを小さくすることができる。
【０００９】
また、第３の解決手段による作用は、輪と一体に形成した取付部の上下方向に掛け部を設け、第２の解決手段と同様の作用をすることができる。また開口部が大なる物品入れの場合、取付部を複数設けて本体を保持することができる。
【発明の効果】
【００１０】
上述したように本発明の物品入れは、開口部を柔軟な線材や合成樹脂で形成し所望する形状に手で自在に形成することができるのでハート形形状のように可愛いデザインのものができるようになつた。  
【００１１】
掛け部を自在に折り曲げたり、外すことが可能なので嵩張らないように梱包ができ、輸送が容易になる。
【発明を実施するための最良の形態】
【００１２】
以下、本発明の実施の形態を図１〜図７に基づいて説明する。
【実施例１】
【００１３】
図１〜図４においては、１は線材で曲折自在なアルミ自在ワイヤーである。２は有底の袋で ネツト状を形成し、上部に筒状の折り返し部３を縫着し、その折り返し部３にアルミ自在ワイヤーの線材１を挿通して輪４を形成し、またアルミ自在ワイヤーの線材１の両端部を折り返し部３の周縁の後側中央から引き出し、引き出した二本のアルミ自在ワイヤーの線材１を捻り合わせて一体に結合している。引き出したアルミ自在ワイヤーの線材１は壁や冷蔵庫等に掛け下げる掛け部５で端部をフツク状に形成し、また輪４との境目を９０度に曲折して形成している。梱包又は収納する場合は、掛け部５のフツク状部分を輪４と平行状になるように曲折して形成する。開口部を円形形状にして使用したい場合は図１に示すように形成する。ハート形形状にする場合は図２に示すようにする。長方形状にして使用する場合は図３に示すようにする。また大型の物品入れの場合は、図４に示すように、二本の線材１で二箇所の掛け部５を形成するように捻着する。
【実施例２】
【００１４】
図５〜図７において、６は挿通孔７を設けた挿通部である。挿通部６と板状の輪４は合成樹脂で一体に形成し、挿通部６は輪４の適宜のニ箇所に設けている。挿通部６の挿通孔７は上下方向に穿設し、アルミ自在ワイヤーの掛け部５を挿通し、上部をフツク状に形成し下端部を曲折して取り付けている。
【図面の簡単な説明】
【００１５】
【図１】本発明の実施例１を示す側面図とＡ−Ａ矢視図とＢ−Ｂ矢視図
【図２】実施例１の開口部をハート形状の状態を示す側面図とＣ−Ｃ矢視図
【図３】実施例１の開口部を長方形状の状態を示す側面図とＤ−Ｄ矢視図
【図４】実施例１の掛け部を二箇設けた状態を示す正面図と矢視Ｅ−Ｅ図
【図５】本発明の実施例２を示す正面図とＦ−Ｆ矢視図とＧ−Ｇ矢視図
【図６】図５のＨ−Ｈ矢視断面図
【図７】実施例２の輪をハート形状の状態を示す平面図
【符号の説明】
【００１６】
１  線材    ２  袋     ３  折り返し部    ４  輪    ５  掛け部    ６挿通部
７  挿通孔  
【図１】
2008125698.tif 000003
【図２】
2008125698.tif 000004
【図３】
2008125698.tif 000005
【図４】
2008125698.tif 000006
【図５】
2008125698.tif 000007
【図６】
2008125698.tif 000008
【図７】
2008125698.tif 000009